(57)【要約】【課題】展示販売されている商品の中で知りたい商品の情報が直ぐに表示されるようにした商品展示販売台を提供すること。【解決手段】複数種類の商品を展示しながら販売するための商品展示販売台であって、ＩＣタグを取り付けた各商品のサンプル１，２，３と、サンプルに付いたＩＣタグ１ａ，２ａ，３ａの情報を読み取るためのリーダライタと、読み取ったＩＣタグの付いたサンプルに対応する商品に関する情報を表示するための画像表示装置２６とを備え。ＩＣタグ付きのサンプルをリーダライタのアンテナにかざすことでその商品が検知されるように設定することにより、或いは、ＩＣタグ付きのサンプルをリーダライタのアンテナの範囲から出すことでその商品が検知されるように設定することにより、陳列された商品の中で知りたい商品の情報を表示させることができる。【選択図】図１
2008054704.tif 000002
【特許請求の範囲】
【請求項１】
複数種類の商品を展示しながら販売するための商品展示販売台であって、ＩＣタグを取り付けた各商品のサンプルと、サンプルに付いたＩＣタグの情報を読み取るためのリーダライタと、読み取ったＩＣタグの付いたサンプルに対応する商品に関する情報を表示するための画像表示装置とを備えたことを特徴とする商品展示販売台。
【請求項２】
画像表示装置とマッチした音声を出力する音声再生装置を備えたことを特徴とする請求項１に記載の商品展示販売台。
【発明の詳細な説明】
【技術分野】
【０００１】
本発明は、ドラッグストア、スーパーマーケット、コンビニエンスストアなどの店頭にて商品を展示しながら販売する際に用いられる商品展示販売台に関するものである。
【背景技術】
【０００２】
従来より、この種の商品展示販売台として、液晶パネル等の画像表示装置とスピーカー等の音声再生装置とを販売台の本体に組み込んだ構成とし、展示販売する商品の広告を画像と音声とにより再生することで当該商品の販売効果を促進するようにしたものが利用されている。
【特許文献１】特開２００６−９４８９０号公報
【発明の開示】
【発明が解決しようとする課題】
【０００３】
上記のような画像表示装置と音声再生装置とを組み込んだ商品展示販売台は、画像と音声により商品の広告を行うので、単なる販売台に比べると大きな広告効果を発揮する。ところが、このような画像表示装置を用いた場合、常時同じ広告が繰り返して流れることになり、思ったほどには大きな販促効果が得られない。特に、複数の商品が並んでいるような場合、見たい商品の情報が直ぐに表示されないと言った問題点がある。
【０００４】
本発明は、上記のような事情に鑑みてなされたものであり、その目的とするところは、展示販売されている商品の中で知りたい商品の情報が直ぐに表示されるようにした商品展示販売台を提供することにある。
【課題を解決するための手段】
【０００５】
上記の目的を達成するため、本発明の商品展示販売台は、複数種類の商品を展示しながら販売するための商品展示販売台であって、ＩＣタグを取り付けた各商品のサンプルと、サンプルに付いたＩＣタグの情報を読み取るためのリーダライタと、読み取ったＩＣタグの付いたサンプルに対応する商品に関する情報を表示するための画像表示装置とを備えたことを特徴としている。
【０００６】
そして、上記構成の商品展示販売台において、画像表示装置とマッチした音声を出力する音声再生装置を備えた構成とすることが好ましい。
【発明の効果】
【０００７】
本発明の商品展示販売台は、ＩＣタグ付きのサンプルをリーダライタのアンテナにかざすことでその商品が検知されるように設定することにより、或いは、ＩＣタグ付きのサンプルをリーダライタのアンテナの範囲から出すことでその商品が検知されるように設定することにより、陳列された商品の中で知りたい商品の情報を表示させることができるので、同じ広告画像が繰り返して流れるような商品情報の表示に比べると、大きな販促効果を発揮することができる。
【０００８】
また、画像表示装置とマッチした音声を出力する音声再生装置を備えることにより、画像表示による商品説明に音声による商品説明も加わるので、商品情報が多くなって販促効果を向上させることができる。
【発明を実施するための最良の形態】
【０００９】
以下、具体例を挙げて本発明の実施の形態について説明する。
【００１０】
図１は本発明に係る商品展示販売台の一例を前方斜めから見た状態で示す斜視図、図２は図１に示す商品展示販売台の内部構造を分解して示す説明図である。
【００１１】
この商品展示販売台Ａは、図２に示す内部構造を組み立ててその前側を覆うように段ボール製の箱体１０を取り付けたものである。内部構造は、商品展示販売台の骨格となる鋼材製の支持体と、それに取り付けられるリーダライタ、画像表示装置及び音声再生装置等からなり、商品展示販売台Ａは前方から見ると、図１に示す如く箱体１０の上部に内部構造の画像表示装置のみが露出した状態になっている。
【００１２】
内部構造の支持体は、図２に示すように、底フレーム２１と背フレーム２２の２部材をからなる。底フレーム２１は山形鋼を矩形状に組み立てて枠体２１ａを形成するとともに、枠体２１ａの両サイドにそれぞれ台形状の鋼板をスポット溶接して取付部２１ｂを形成したもので、背フレーム２２は横長の鋼板を背板２２ａとしてそれに２本の山形鋼を溶接して脚部２２ｂを形成したものであり、支持体は、底フレーム２１の両サイドに立設した取付部２１ｂに背フレーム２２の脚部２２ｂをネジ止めすることで組み立てられる。なお、底フレーム２１の枠体２１ａには設置時の安定性を確保するため、周囲４箇所にゴム脚２１ｃが取り付けられている。
【００１３】
底フレーム２１における枠体２１ａの中にはリーダライタのアンテナ２３が設置されており、このアンテナ２３は外部のリーダライタに接続されている。また、背フレーム２２における右側の脚部２２ｂには中程より少し下方にリーダライタブラケット２４が取り付けられ、それにアンテナ内蔵のリーダライタ２５が搭載されている。
【００１４】
また、背フレーム２２における背板２２ａには画像表示装置の表示パネル２６が取り付けられており、背フレーム２２における左右両方の脚部２２ｂには中程より少し上方にそれぞれスピーカーブラケット２７が取り付けられ、それらに音声再生装置としてのスピーカー２８が搭載されている。なお、図２では左側のスピーカーブラケット２７は隠れて見えていない。なお、スピーカー内蔵型の表示パネルを使用すればこのような取付は必要なくなる。また、スピーカーは必ずしも必要な構成部材ではない。
【００１５】
箱体１０は、前記したように段ボールからなるもので、コの字状に折り曲げた上下方向の表示部１１とその下部前方に取り付けられた受皿状の陳列部１２とからなる。
【００１６】
箱体１０の表示部１１には、前記したように内部構造の表示パネル２６を露出させるための窓１１ａが設けられており、その両側にはスピーカー２８のための貫通孔群１１ｂが複数形成されている。また、右側の貫通孔群１１ｂの下側には、リーダライタ２５の位置に対応してその説明等が表示されている。
【００１７】
箱体１０の陳列部１２は上げ底１３になっており、その上げ底１３の下側に支持体の底フレーム２１が収まるようになっている。また、陳列部１２の前寄りのところにはサンプル保持部１４が設けられており、陳列部１２の下側、すなわちサンプル保持部１４の下側には底フレーム２１に設置されたリーダライタのアンテナ２３が位置することになる。
【００１８】
サンプル保持部１４には、３本の化粧品のサンプル１，２，３が入るようになっており、これらのサンプルにはそれぞれＩＣタグ１ａ，２ｂ，３ｂが取り付けられている。したがって、化粧品のサンプル１，２，３をサンプル保持部１４に入れた時には、それらに付けられたＩＣタグ１ａ，２ｂ，３ｂは、リーダライタのアンテナ２３の受信範囲に入った状態になる。
【００１９】
この商品展示販売台Ａは、箱体１０の陳列部１２に例えば化粧品を入れた状態で、ドラッグストア、スーパーマーケット、コンビニエンスストア等における商品棚の上に、或いはレジ台やカウンターの上に設置される。そして、サンプル保持部１４には３種類のＩＣタグ付きの化粧品のサンプル１，２，３が入れられる。
【００２０】
画像表示装置は配信サーバーで集中管理される。したがって、設置状態では、通常、表示パネル２６にコマーシャル映像を繰り返して表示し、必要に応じてスピーカー２８から画像表示装置とマッチした音声を出力している。そして、消費者がサンプル保持部１４から一つの化粧品のサンプルを引き抜くと、サンプル保持部１２の下側にあるアンテナ２３との間での通信が途絶えることで、サンプルの商品種類が特定され、表示パネル２６にその商品に関連した詳細な商品情報が表示される。また、ＩＣタグ付きのサンプルを上方のリーダライタ２５にかざすことにより、表示パネル２６にその商品に関連した詳細な商品情報が表示されるように設定することもできる。いずれにしても、配信サーバーからサンプルに応じた商品のコンテンツを受信して表示パネル２６に表示する。
【００２１】
また、画像表示装置は、上記のようにＩＣタグの読取りに対応して作動するのに加え、必要に応じて、タッチパネル方式で商品情報の検索ができるようにしてもよい。
【００２２】
以上、一つの例を挙げて本発明を詳細に説明したが、本発明による商品展示販売台は、上記実施の形態に何ら限定されるものではなく、本発明の趣旨を逸脱しない範囲において種々の変更が可能であることは当然のことである。
【００２３】
例えば、上記の例では、商品展示販売台を任意の場所に設置可能なように独立した販売台としたが、各構成部材を店頭における商品棚に直接取り付けて販売台とすることも可能である。
【図面の簡単な説明】
【００２４】
【図１】本発明に係る商品展示販売台の一例を前方斜めから見た状態で示す斜視図である。
【図２】図１に示す商品展示販売台の内部構造を分解して示す説明図である。
【符号の説明】
【００２５】
Ａ  商品展示販売台
１，２，３  サンプル
１ａ，２ａ，３ａ  ＩＣタグ
１０  箱体
１１  表示ブラケット
１１ａ  窓
１１ｂ  貫通孔群
１２  陳列部
１３  上げ底
１４  サンプル保持部
２１  底フレーム
２１ａ  枠体
２１ｂ  取付部
２１ｃ  ゴム脚
２２  背フレーム
２２ａ  背板
２２ｂ  脚部
２３  アンテナ
２４  リーダライタブラケット
２５  リーダライタ
２６  表示パネル
２７  スピーカーブラケット
２８  スピーカー
【図１】
2008054704.tif 000003
【図２】
2008054704.tif 000004